(57)【要約】【課題】提供データの信頼性を高めることのできる提供データ管理方法及び提供データ管理装置の提供を目的とする。【解決手段】ネットワークを介してデータ提供者からの提供データを情報収集システムに受領して公開する提供データ管理方法であって、データ提供者からデータの提供があった際に、提供データとともにデータ提供者を該提供データに関連付けられたポイントに対するポイント獲得権者として記憶部に格納する手順と、前記提供データが新たなデータ提供者により書き替えられた際に、ポイント獲得権を新たなデータ提供者に更新させる手順と、前記提供データが情報参照者により参照された際に、該当するポイントを加算する手順を備えて構成する。【選択図】  図１
2004164333.tif 000002
【特許請求の範囲】
【請求項１】
ネットワークを介してデータ提供者からの提供データを情報収集システムに受領して公開する提供データ管理方法であって、
データ提供者からデータの提供があった際に、提供データとともにデータ提供者を該提供データに関連付けられたポイントに対するポイント獲得権者として記憶部に格納する手順と、
前記提供データが新たなデータ提供者により書き替えられた際に、ポイント獲得権を新たなデータ提供者に更新させる手順と、
前記提供データが情報参照者により参照された際に、該当するポイントを加算する手順を備える提供データ管理方法。
【請求項２】
前記ポイント加算手順が、情報参照者による提供データの真偽確認情報に基づいて実行される請求項１記載の提供データ管理方法。
【請求項３】
ネットワークを介して接続されるクライアント端末からのデータ提供要求に応じて提供者と提供データの入力を促し、提供者を提供データに付随するポイントの獲得権者として提供データとともに格納する記憶部と、
クライアント端末からの前記提供データに対する書き替え要求に応じ、更新データと、データ更新者の入力を促し、記憶部における提供データとポイント獲得権者とを更新データとデータ更新者に書き替えるデータ更新部と、
前記提供データへのクライアント端末からの閲覧要求に応じて対応するポイント獲得権者のポイントを増加させるポイント増加部とを有する提供データ管理装置。
【請求項４】
情報参照者による提供データの真偽確認情報が真である場合にのみ前記ポイント増加部を動作させるデータ検証部を備える請求項３記載の提供データ管理装置。
【請求項５】
加算ポイントに対する重み付け設定部を有する請求項３または４記載の提供データ管理装置。
【請求項６】
請求項３ないし４のいずれかに記載の提供データ管理装置と、
ＧＰＳ装置を備えた可搬型通信端末装置からなるクライアント端末とをネットワークを介して接続し、表札等の地図関連データを提供データとして管理する地図情報管理システム。
【発明の詳細な説明】
【０００１】
【発明の属する技術分野】
本発明は、提供データ管理方法及び提供データ管理装置に関するものである。
【０００２】
【従来の技術】
インターネットを利用した口コミ情報等のデータ提供者に対してクーポンを発行することによりインターネットにおけるデータ提供を促す方法としては、例えば、特許文献１に記載されたものが知られている。
【０００３】
【特許文献１】
特開２０００−２６８０９３号公報
【０００４】
【発明が解決しようとする課題】
しかし、上記従来例は、データ提供者に対するデータ提供の動機付けにはなるものの、提供された情報への評価が何らなされないために、他の利用者にとって有効で、かつ、信頼性の高いデータが収集されるという保証がないという欠点がある。
【０００５】
本発明は、以上の欠点を解消すべくなされたもので、提供データの信頼性を高めることのできる提供データ管理方法及び提供データ管理装置の提供を目的とする。
【０００６】
さらに本発明の他の目的は、表札情報等を常に正しい状態に維持可能な地図情報管理システムの提供にある。
【０００７】
【課題を解決するための手段】
本発明によれば上記目的は、
ネットワーク１を介してデータ提供者からの提供データを情報収集システムに受領して公開する提供データ管理方法であって、
データ提供者からデータの提供があった際に、提供データとともにデータ提供者を該提供データに関連付けられたポイントに対するポイント獲得権者として記憶部に格納する手順と、
前記提供データが新たなデータ提供者により書き替えられた際に、ポイント獲得権を新たなデータ提供者に更新させる手順と、
前記提供データが情報参照者により参照された際に、該当するポイントを加算する手順を備える提供データ管理方法を提供することにより達成される。
【０００８】
図１に本発明による提供データ管理装置Ｅを使用したデータ管理システムを示す。データ管理システムは、ネットワーク１を介して複数のクライアント端末３と提供データ管理装置Ｅとを接続して構成される。提供データ管理装置Ｅは、記憶部２を備え、記憶部２内の提供データ記憶部２ａに記憶される提供データＤは、データ入出力部８を介して各クライアント端末３に公開される。クライアント端末３と提供データ管理装置Ｅとの間に介在するネットワーク１は、例えば、ＬＡＮ（Ｌｏｃａｌ  Ａｒｅａ  Ｎｅｔｗｏｒｋ）のような外部に対して閉塞されたものであっても、インターネットのような外部に対して開放されたものであってもよい。
【０００９】
提供データＤは、例えば、地図上の表札情報、プログラムソースのようなテキスト情報以外に、画像情報、あるいは実行可能なプログラム、さらには、プログラムソースと実行可能プログラムの中間状態のもの等であってもよく、データ入出力部８は取り扱うデータの種類に応じて、例えば、ＨＴＴＰ（Ｈｙｐｅｒ  Ｔｅｘｔ  Ｔｒａｎｓｆｅｒ  Ｐｒｏｔｏｃｏｌ）に対応するＷＥＢサーバ、あるいはＦＴＰ（Ｆｉｌｅ  Ｔｒａｎｓｆｅｒ  Ｐｒｏｔｏｃｏｌ）に対応するＦＴＰサーバとして構成することができる。また、データ参照、あるいはデータ更新の便宜を考慮して、データ入出力部８からクライアント端末３側に出力される情報には、表札情報を取り扱う場合の地図情報、プログラムを取り扱う場合のバグフィクス、機能追加等の更新履歴情報等の付随情報を含めることができ、これら付随情報は、必要に応じて記憶部２に格納される。
【００１０】
データ管理システムは、ネットワーク１を介して提供データ管理装置Ｅに接続されたクライアント端末３の所有者から提供される提供データＤを他のクライアント端末３の所有者による検証結果をもとに評価を決定することにより提供データＤの検証を行い、さらに、データ提供者、改良データ提供者へのポイント付与によりデータ改良への意欲を向上させるように構成される。
【００１１】
図２に示すように、この提供データ管理装置Ｅは、クライアント端末３側からの書込要求を受けると、まず、データ提供要求か否かを判断し（ステップＳ１）、データ提供要求である場合には、データ入出力部８において入力内容、データフォーマット等の調整を行った後、データ更新部４において該当提供データＤが記憶部２にすでに存在しているか否かを確認する（ステップＳ２）。提供データＤが存在していない場合には、新規提供データＤｎとして、提供データ記憶部２ａに提供データＤを、ポイント記憶部２ｂにポイント情報Ｐを各々格納する（ステップＳ３）。
【００１２】
ポイント情報Ｐには累積ポイント数情報Ｐ１に加えてポイントに対する獲得権者を示すポイント所有者情報Ｐ２が含まれており、新規提供データＤｎの提供に伴うポイント数は、ポイント増加部５により予め決定される。ポイント増加部５におけるポイント増加数は重み付け設定部７において適宜変更することが可能であり、例えば、長期に渡って空白となっている対象に対する新規提供データＤｎに対して高いポイントを設定して、データ空白の早期解消を図る等、データ提供を政策的に加速させるために利用される。
【００１３】
一方、データ提供要求の対象データがすでに存在している場合には、データ更新部４は、要求が更新要求であるものと見なし、提供データＤ及びポイント情報Ｐを書き替える（ステップＳ４）。更新に際し、必要であれば、更新前のポイント獲得権者への精算が行われる。
【００１４】
これに対し、クライアント端末３からの書込要求がデータ提供要求でない場合には、データ評価用書込とみなし、データ入出力部８は所定フォーマットに整形した後、データ検証部６に出力する。データ検証部６は、データ参照者が判断した提供データＤの真偽に関するデータ入出力部８からの出力により参照データの真偽を判断し（ステップＳ５）、”真”である場合には、ポイント増加部５は参照時におけるポイント獲得権者のポイントを増加させる（ステップＳ６）。
【００１５】
また、参照データが”偽”であるとの書込要求があった場合には、ポイントを加算することなく処理を終了するが、この場合、当該提供データＤを更新することにより新たにデータ提供者（ポイント獲得権者）となることを促すメッセージをクライアント端末３に送ることもできる。
【００１６】
ポイントに対する精算は、ポイント数に比例した金銭、クーポン、品物等、提供データＤの提供を有効に動機付けることができるものの中から適宜選択可能であり、精算内容に応じて、提供データ管理装置Ｅには図外の精算手段が接続される。精算手段は、たとえば、金銭による精算の場合には、銀行に対するポイント獲得権者に対する送金依頼の生成手段として構成される。精算のタイミングは、定期、所有権が更新されたとき等、適宜決定される。
【００１７】
したがってこの発明において、提供データＤを新規提供、あるいは訂正すると、当該提供データＤに付随するポイントのポイント獲得権者となることができ、多数のデータ参照者によって正確さが検証されるごとにポイントが増加する。ポイントは、予め定められた報酬に連結しているために、データ提供者、あるいはデータ訂正者にとってデータ登録の強い動機付けとなる。
【００１８】
また、ポイントは、データ提供者以外の第三者（データ参照者）によって正しいことが検証された場合にのみ増加するために、データ提供者等に対して、正しい提供データＤを提供することを間接的に促し、さらに、提供データＤは漸次正しい方向に収束するために、データの信頼性が向上する。
【００１９】
さらに、提供データ管理装置Ｅをインターネット等を介して開放するように構成した場合には、精算に必要な所用ポイント数を比較的高く設定しておくだけで、ポイント詐取、あるいは誤ったデータへの故意の改ざんに対する意欲を減少させることが可能となるために、間接的にデータの正確さを保証できる。
【００２０】
すなわち、インターネットからのアクセス数は大量であるために、正しい提供データＤに対するポイント数は容易に上昇して精算ポイント数に至ることができるが、特定個人によるアクセス可能数は上記インターネットによるアクセス数に比して極めて微少であるために、データ提供者とデータ参照者とが共謀して誤った提供データＤに対してポイントを詐取しても、上記精算ポイントが高ければ、ポイント詐取による実益はない。この結果、上述したような手段を使用する意欲も失われるために、間接的にシステムの健全な運営が保証される。
【００２１】
なお、この場合、不正の回避のために、同一人による同一対象に対する繰り返しのアクセスを通信ログ等で確認し、所定回数以上の同一対象に対する同一人によるデータ提供要求を拒否するように構成することもできる。
【００２２】
【発明の実施の形態】
図３に地図情報上の表札等の地図関連データを管理する地図情報管理システムを示す。このシステムは、インターネット網（ネットワーク１）を介して提供データ管理装置Ｅと、携帯電話等の可搬型通信端末装置（クライアント端末３）とを連結して構成される。可搬型通信端末装置３には、ＧＰＳが搭載され、該端末装置３の現在位置を知ることができる。なお、特にことわりのない限り、システム及び提供データ管理装置Ｅの構造は、図１に示すように構成され、以下の説明においては、これらが具体化されている構成を中心に説明する。また、図１において説明した各構成と実質的に同一の構成要素は、図１と同一の符号を使用し、便宜上名称を変更して説明する。
【００２３】
提供データ管理装置Ｅは、提供データ記憶部２ａとポイント記憶部２ｂとを含む記憶部２を有し、提供データ記憶部２ａには、表札データベース２ａ１と、建物形状データベース２ａ２とが含まれる。図４に示すように、表札データベース２ａ１は、表札情報を取得する場所を特定するための場所ＩＤ、所在地等の情報を格納し、図形ＩＤにより建物形状データベース２ａ２の建物形状、あるいは建物名称に関連付けられる。
【００２４】
一方、ポイント記憶部２ｂは、後述するシステム参加者登録部９において登録受領した個人情報に加えて累積ポイント数情報Ｐ１を格納するカラムを有し、登録者ＩＤにより表札データベース２ａ１に関連付けられる。
【００２５】
以上の構成の下、地図情報管理システムへの参加希望者は、まず、適宜のクライアント端末３によりシステム参加者登録部９にアクセスし、データ提供者として登録する。システム参加者登録部９においては、報酬を与えるために必要な個人情報、例えば、氏名、住所等をポイント所有者情報Ｐ２として登録し、同時に図４に示すように、累積ポイントカラムを設定する。
【００２６】
次に、上記地図情報管理システムの運用手順を説明する。まず、提供データ管理装置Ｅ内の表札等のデータは、インターネット網１を介して外部に公開されており、クライアント端末３からの要求に応じてクライアント端末３に送信される。提供データ管理装置Ｅは、要求されたデータとともに、表札等のデータ（提供データＤ）を参照した利用者（情報参照者）に対して、取得データが正しかったか否かの返信を促すメッセージを送信し、情報参照者からの返信内容により後述するようにポイント加算操作が行われる。
【００２７】
これに対し、提供データ管理装置Ｅがデータ提供者からのデータ提供要求を受領すると、携帯電話のＧＰＳが示す現在地情報（Ｉ−１）を取得し、図７（ａ）に示すように、周辺の地図データ（Ｉ−２）を送信する。データ提供者は、この地図データから更新するデータＤを提供データ管理装置Ｅ側に送信すると、上述したように、提供データＤは、記憶部２に格納される。
【００２８】
図５、６に上述した提供データＤの登録、参照に伴う記憶部２における記憶状態の変化を示す。いま、ポイント増加部５におけるポイント加算量が図５（ａ）に示すように、編集の種類により新規入力が”３”、更新が”１”というように重み付けされ、場所”Ｐ”におけるデータが空白であると仮定すると、初期の表札データベース２ａ１及びポイント記憶部２ｂとなる登録者データベースは、図５（ｂ）に示すように、場所”Ｐ”における店名等は空白（”ｎｕｌｌ”）であり、登録者データベースにおける各登録者”Ｘ”、”Ｙ”の所持ポイントも”０”である。
【００２９】
この状態から、”Ｘ”が場所”Ｐ”にデータ”Ａ”を”２００１年７月１日午前１０時”に入力したとすると、図５（ｃ）に示すように、表札データベース２ａ１の関係カラムは、新規提供データＤｎとともに、所定の内容で埋められ、所有者カラムには、データ提供者”Ａ”のＩＤ番号”１”が入力され、場所”Ｐ”に対するポイントの獲得権が”Ａ”にあることが格納される。
【００３０】
この後、場所”Ｐ”に対する参照がデータ参照者”Ｕ”によりなされ、さらに、上述したように、”Ｕ”が提供データ”Ａ”を正しいと通知してくると、図６（ａ）に示すように、場所”Ｐ”に対するポイントの獲得権者”Ｘ”のポイントはポイント増加部５の指示する数、すなわち”３”だけ増加し、登録者データベースに格納される。
【００３１】
次いで、場所”Ｐ”に関する状況が変化し、データ提供者”Ｙ”がこれを知って場所”Ｐ”に関する提供データＤを”Ｂ”に更新すると、図６（ｂ）に示すように、場所”Ｐ”に関するポイントの所有権は”Ｙ”に移転し、この状態が表札データベース２ａ１のポイント獲得権者欄に登録される。
【００３２】
データの更新は、まず、上述したように、データ提供者”Ｙ”のいる場所の地図情報を可搬型通信端末装置３に出力し、データ提供者”Ｙ”はこの画面上で、例えば、図７（ｂ）に示すように、変更部分を指示して提供データ管理装置Ｅに送信して行われる。
【００３３】
この後、例えば、提供データＤの正しさをデータ参照者”Ｖ”が認めると、図６（ｃ）に示すように、ポイントは”Ｙ”に加算される。このとき、図５（ａ）に示すように、更新によるポイント加算はポイント増加部５において”１”に設定されているために、”Ｙ”へのポイント加算量は”１”となる。
【００３４】
なお、以上においては、表札等のデータを管理するように構成された場合を示したが、管理の対象はこれに限られるものではなく、例えば、プログラムの開発に適用することができる。この場合、データ提供者には、図８（ａ）に示すように、プログラムソースが送信され、データ提供者は、図８（ｂ）に示すように、ソース変更部分を明示して提供データ管理装置Ｅに送信し、以後、上述し実施の形態と同様に、ソースに対する変更を行ったり、あるいは新たな機能を付加するごとにポイント所有権が移転、あるいは発生する。
【００３５】
【発明の効果】
以上の説明から明らかなように、本発明によれば、提供データの信頼性を高めることができる。
【図面の簡単な説明】
【図１】本発明を示すブロック図である。
【図２】本発明を示すフローチャート図である。
【図３】本発明の実施の形態を示すブロック図である。
【図４】記憶部におけるデータ構造を示す図である。
【図５】本発明の動作を示す図である。
【図６】本発明の動作を示す図である。
【図７】クライアント端末に表示される地図情報を示す図で、（ａ）は現状の提供データを示す図、（ｂ）は更新作業を示す図である。
【図８】本発明の他の実施の形態を示す図７に対応する図である。
【符号の説明】
１        ネットワーク
２        記憶部
３        クライアント端末
４        データ更新部
５        ポイント増加部
６        データ検証部
７        重み付け設定部
Ｅ        提供データ管理装置
【図１】
2004164333.tif 000003
【図２】
2004164333.tif 000004
【図３】
2004164333.tif 000005
【図４】
2004164333.tif 000006
【図５】
2004164333.tif 000007
【図６】
2004164333.tif 000008
【図７】
2004164333.tif 000009
【図８】
2004164333.tif 000010